(57)【要約】【課題】ＨＤＤＶＤ規格に準拠したコンテンツを効率良く検証することができるコンテンツ検証装置及びコンテンツ検証システムを提供する。【解決手段】コンテンツ検証システム１は、ＨＤ  ＤＶＤプレイヤ２と、ＨＤ  ＤＶＤプレイヤ２に接続されたＰＣ４とから構成され、ＨＤ  ＤＶＤプレイヤ２にインストールされたエミュレータアプリケーション２００ｂを起動させることで、読出部２０１からの再生から、外部入力部２０３に接続された外付ハードディスク５からの再生、及び記憶部２０４からの再生などを指定することが可能なので、効率的に制作したコンテンツの検証を行うことができる。【選択図】図２
2009087444.tif 000002
【特許請求の範囲】
【請求項１】
アプリケーションを記憶する第１の記憶部と、
前記アプリケーションに基づく画面表示を行う表示部と、
前記アプリケーションに対する操作を受け付ける操作部と、
ネットワークに接続された第１の通信部と、
前記操作部から送信された操作信号を前記第１の通信部から出力させる第１の制御部と、
を有するコントロール端末と、
前記コントロール端末の前記第１の通信部を介して送信された前記操作信号を受信する第２の通信部と、
第１のコンテンツデータ、及び前記第１のコンテンツデータに基づいて作成されたコンテンツ関連データを記憶する記憶装置と接続される接続部と、
前記第２の通信部を介して取得した第２のコンテンツデータを記憶する第２の記憶部と、
前記操作信号に基づいて前記記憶装置から前記コンテンツ関連データを読み出して、前記第２の記憶部に記憶させ、前記第１のコンテンツデータを再生するとき、前記第２の記憶部に記憶した前記コンテンツ関連データを利用して再生し、前記第１のコンテンツデータ及び前記コンテンツ関連データの検証を行う第２の制御部と、
を有したコンテンツ再生装置と、
を備えたことを特徴とするコンテンツ検証システム。
【請求項２】
前記第１の記憶部は、前記アプリケーションとしてＷＥＢ（Ｗｏｒｌｄ  Ｗｉｄｅ  Ｗｅｂ）ブラウザを記憶することを特徴とする請求項１に記載のコンテンツ検証システム。
【請求項３】
前記第２の記憶部は、ＨＤ  ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）規格に準拠したＰｅｒｓｉｓｔｅｎｔ  Ｓｔｏｒａｇｅと呼ばれる不揮発性メモリであり、前記コンテンツ関連データとして、前記第２の通信部を介して取得した前記第２のコンテンツデータ、前記第１のコンテンツデータに関するチャプターデータ、及び前記第１のコンテンツデータに関するブックマークデータであることを特徴とする請求項１に記載のコンテンツ検証システム。
【請求項４】
前記接続部は、前記記憶装置としてＨＤＤ（Ｈａｒｄ  Ｄｉｓｋ  Ｄｒｉｖｅ）と接続されることを特徴とする請求項１に記載のコンテンツ検証システム。
【請求項５】
前記制御部は、前記第２の記憶部に記憶される前記コンテンツ関連データを前記接続部を介して前記記憶装置に記憶させ、前記第１のコンテンツデータを再生するとき、前記記憶部に記憶させた前記コンテンツ関連データを利用して再生し、前記第１のコンテンツデータ及び前記コンテンツ関連データの検証を行うことを特徴とする請求項１に記載のコンテンツ検証システム。
【請求項６】
前記制御部は、前記記憶装置に記憶された前記コンテンツ関連データにアクセス可能なリンクを前記第２の記憶部に作成し、前記リンクに基づいて前記コンテンツ関連データを利用して前記第１のコンテンツデータを再生し、前記第１のコンテンツデータ及び前記コンテンツ関連データの検証を行うことを特徴とする請求項１に記載のコンテンツ検証システム。
【請求項７】
前記制御部は、前記検証として対象となるコンテンツデータの再生、早送り、巻戻し、前後チャプターへのジャンプ、メニューの動作、音声の切換、字幕の表示切替、及びブックマークの位置の前記検証を行うことを特徴とする請求項１から６何れかに記載のコンテンツ検証システム。
【請求項８】
アプリケーションを記憶する第１の記憶部と、
前記アプリケーションに基づく画面表示を行う表示部と、
前記アプリケーションに対する操作を受け付ける操作部と、
ネットワークに接続された通信部と、
第１のコンテンツデータ、及び前記第１のコンテンツデータに基づいて作成されたコンテンツ関連データを記憶する記憶装置と接続される接続部と、
前記通信部を介して取得した第２のコンテンツデータを記憶する第２の記憶部と、
前記操作信号に基づいて前記記憶装置から前記コンテンツ関連データを読み出して、前記第２の記憶部に記憶させ、前記第１のコンテンツデータを再生するとき、前記第２の記憶部に記憶した前記コンテンツ関連データを利用して再生し、前記第１のコンテンツデータ及び前記コンテンツ関連データの検証を行う制御部と、
を備えたことを特徴とするコンテンツ検証装置。
【発明の詳細な説明】
【技術分野】
【０００１】
本発明は、コンテンツ検証システム及びコンテンツ検証装置に関し、特に市販されているＨＤ  ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）プレイヤを利用したコンテンツの検証に関する。
【背景技術】
【０００２】
従来の技術として、制御装置と、表示装置に接続されたＤＶＤ（Ｄｉｇｉｔａｌ  Ｖｅｒｓａｔｉｌｅ  Ｄｉｓｃ）プレイヤとからなる検証システムが知られている（例えば、特許文献１参照）。
【０００３】
この検証システムの制御装置は、検証の手順のプログラムである検証シーケンスデータを作成する検証シーケンス作成ツールと、作成された検証シーケンスデータを記憶する記憶部と、記憶部に記憶された検証シーケンスデータに従って、ＤＶＤプレイヤに送信するリモコン信号パターンを生成する検証実行ツールと、検証実行ツールで生成されたリモコン信号パターンに基づいてリモコン信号（赤外線）を出力する制御信号出力部と、制御信号出力部から送信されたリモコン信号（赤外線）を受信する受光駆動部と、受光駆動部に接続され、複数のＤＶＤプレイヤの受光部に設置された複数のＬＥＤと、を備えて構成されている。
【０００４】
制御装置は、検証シーケンスデータに基づいて制御信号出力部からリモコン信号を送信し、受光駆動部はこれを受信する。受光駆動部は、受光したリモコン信号に基づいてＤＶＤプレイヤに設置されたＬＥＤを発光させる。ＤＶＤプレイヤは、ＬＥＤから送信されるリモコン信号に基づいて再生等の動作を行う。
【０００５】
この検証システムによると、一例として、各ＤＶＤプレイヤで同じ場面を表示装置に同時に表示させることや、同じタイミングでのチャプターの切り替え等の検証を各ＤＶＤプレイヤで行うことができるので、市販されるＤＶＤプレイヤの製品毎の動作のばらつきを検証することができる。
【特許文献１】特開２００２−２３２８２５号公報
【発明の開示】
【発明が解決しようとする課題】
【０００６】
しかし、従来の検証システムによれば、検証するためには、ＤＶＤソフトをＤＶＤプレイヤの数だけ作成しなければならず、ＤＶＤソフトを修正した後、検証を行う場合は、再度ＤＶＤプレイヤと同じ数のＤＶＤソフトを作成しなければならないので、効率が良くなかった。
【０００７】
従って、本発明の目的は、ＨＤ  ＤＶＤ規格に準拠したコンテンツを効率良く検証することができるコンテンツ検証システム及びコンテンツ検証装置を提供することにある。
【課題を解決するための手段】
【０００８】
（１）本発明は上記目的を達成するため、アプリケーションを記憶する第１の記憶部と、前記アプリケーションに基づく画面表示を行う表示部と、前記アプリケーションに対する操作を受け付ける操作部と、ネットワークに接続された第１の通信部と、前記操作部から送信された操作信号を前記第１の通信部から出力させる第１の制御部と、を有するコントロール端末と、前記コントロール端末の前記第１の通信部を介して送信された前記操作信号を受信する第２の通信部と、第１のコンテンツデータ、及び前記第１のコンテンツデータに基づいて作成されたコンテンツ関連データを記憶する記憶装置と接続される接続部と、前記第２の通信部を介して取得した第２のコンテンツデータを記憶する第２の記憶部と、前記操作信号に基づいて前記記憶装置から前記コンテンツ関連データを読み出して、前記第２の記憶部に記憶させ、前記第１のコンテンツデータを再生するとき、前記第２の記憶部に記憶した前記コンテンツ関連データを利用して再生し、前記第１のコンテンツデータ及び前記コンテンツ関連データの検証を行う第２の制御部と、を有したコンテンツ再生装置と、を備えたことを特徴とするコンテンツ検証システムを提供する。
【０００９】
このような構成によれば、ＨＤ  ＤＶＤ規格に準拠したコンテンツを効率よく検証することができる。
【００１０】
（２）本発明は上記目的を達成するため、アプリケーションを記憶する第１の記憶部と、前記アプリケーションに基づく画面表示を行う表示部と、前記アプリケーションに対する操作を受け付ける操作部と、ネットワークに接続された通信部と、第１のコンテンツデータ、及び前記第１のコンテンツデータに基づいて作成されたコンテンツ関連データを記憶する記憶装置と接続される接続部と、前記通信部を介して取得した第２のコンテンツデータを記憶する第２の記憶部と、前記操作信号に基づいて前記記憶装置から前記コンテンツ関連データを読み出して、前記第２の記憶部に記憶させ、前記第１のコンテンツデータを再生するとき、前記第２の記憶部に記憶した前記コンテンツ関連データを利用して再生し、前記第１のコンテンツデータ及び前記コンテンツ関連データの検証を行う制御部と、を備えたことを特徴とするコンテンツ検証装置を提供する。
【００１１】
このような構成によれば、ＨＤ  ＤＶＤ規格に準拠したコンテンツを効率良く検証することができる。
【発明の効果】
【００１２】
本発明によれば、ＨＤ  ＤＶＤ規格に準拠したコンテンツを効率良く検証することができる。
【発明を実施するための最良の形態】
【００１３】
以下に、本発明のコンテンツ検証システム及びコンテンツ検証装置の実施の形態を図面を参考にして詳細に説明する。
【００１４】
［実施の形態］
（コンテンツ検証システム１の構成）
図１は、本発明の実施の形態に係るコンテンツ検証システムの概略図である。コンテンツ検証システム１は、図１に示すように、ＨＤ  ＤＶＤ規格に準拠した光ディスクを再生するコンテンツ再生装置としてのＨＤ  ＤＶＤプレイヤ２と、ＨＤ  ＤＶＤプレイヤ２と接続され、ＨＤ  ＤＶＤプレイヤ２を制御するコントロール端末としてのＰＣ（Ｐｅｒｓｏｎａｌ  Ｃｏｍｐｕｔｅｒ）４と、を備えて構成されている。ＰＣ４は、ユーザの操作を受け付ける操作部４０１と、操作画面等の画像を表示する表示部としての表示画面４０４と、を有している。
【００１５】
ＨＤ  ＤＶＤプレイヤ２は、正面に、光ディスク８に記憶されたデータを読み出す読出部２０１と、ユーザの操作を受け付ける操作部２０２と、再生されたコンテンツ（コンテンツデータ）の再生位置等の情報を表示する表示部２０８と、を有し、表示画面３０を有する表示装置３と接続されている。またＨＤ  ＤＶＤプレイヤ２は、一例として、内部にＨＤＤ（Ｈａｒｄ  Ｄｉｓｋ  Ｄｒｉｖｅ）を有し、ＵＳＢ（Ｕｎｉｖｅｒｓａｌ  Ｓｅｒｉａｌ  Ｂｕｓ）接続される記憶装置である外付ハードディスク５に接続され、さらに、インターネット６を介してサーバ７と接続されている。
【００１６】
（ＨＤ  ＤＶＤプレイヤ２の構成）
図２は、本発明の実施の形態に係るＨＤ  ＤＶＤプレイヤのブロック図である。ＨＤ  ＤＶＤプレイヤ２は、一般のユーザ向けに市販されているＨＤ  ＤＶＤ規格に準拠したプレイヤである。本実施の形態におけるコンテンツの検証は、ＨＤ  ＤＶＤプレイヤ２に後述するエミュレータアプリケーション２００ｂを追加し、読出部２０１以外の記憶媒体からコンテンツを再生することによって行われる。これは、一例として、コンテンツ制作者が制作したコンテンツの内容を検証するとき、ＨＤ  ＤＶＤプレイヤ毎に動作のばらつきがあるので、ＨＤ  ＤＶＤプレイヤ毎に検証を行う必要があることによる。
【００１７】
ＨＤ  ＤＶＤプレイヤ２は、各部を制御する第２の制御部としての制御部２００と、ＵＳＢ接続の外付ハードディスク５と接続される接続部としての外部入力部２０３と、後述する第２の記憶部としての記憶部２０４と、光ディスク８に記憶されたコンテンツをデコードするデコード部２０５と、デコードされたコンテンツを表示装置３に出力する出力部２０６と、ＰＣ４及びインターネット６と接続する通信部２０７と、を備えて概略構成されている。
【００１８】
（制御部２００について）
制御部２００は、各部を総合的に制御するメインアプリケーション２００ａと、後述するエミュレータアプリケーション２００ｂと、コンテンツのメニューの表示等を行うアドバンストナビゲーションアプリケーション２００ｃと、を有している。
【００１９】
（エミュレータアプリケーション２００ｂについて）
エミュレータアプリケーション２００ｂは、制御部２００によって実行されるアプリケーションで、一例として、制御部２００内部のメモリに記憶され、光ディスク８に記憶されたエミュレータアプリケーション２００ｂをインストールするプログラムが実行されることによって、インストール及びアップデートすることができる。
【００２０】
また、エミュレータアプリケーション２００ｂは、通信部２０７に接続されたＰＣ４で起動されたブラウザによって操作され、一例として、外付ハードディスク５に記憶されたコンテンツの再生を、読出部２０１からのコンテンツの再生から切換えることによって行うことができる。
【００２１】
（記憶部２０４について）
記憶部２０４は、ＨＤ  ＤＶＤ規格に準拠した不揮発性メモリからなるフラッシュメモリ領域（Ｐｅｒｓｉｓｔｅｎｔ  Ｓｔｏｒａｇｅ）であり、一例として、光ディスク８の再生中のコンテンツに付されたブックマークのデータ及びチャプターのデータ、インターネット６を介して取得した特典映像データ等のコンテンツに関連したコンテンツ関連データを記憶する。また、記憶部２０４は、一例として、ＨＤ  ＤＶＤ規格の光ディスク８のインタラクティブ機能を用いた「お気に入りリスト」を「友人に送る」と設定することで、予め登録された友人のＨＤ  ＤＶＤプレイヤに通知され、その「お気に入りリスト」に含まれるシーンをダウンロードすることに用いられる。
【００２２】
（ＰＣ４の構成）
図３は、本発明の実施の形態に係るＰＣのブロック図である。ＰＣ４は、各部を制御する第１の制御部としての制御部４００と、操作部４０１と、ブラウザ４０を記憶する第１の記憶部としての記憶部４０２と、ＨＤ  ＤＶＤプレイヤ２と通信を行う第１の通信部としての通信部４０３と、表示画面４０４と、を備えて概略構成されている。
【００２３】
なお、ブラウザ４０は、インターネット６を介してＷｅｂページを閲覧することができるアプリケーションである。
【００２４】
（フォルダ２０４０の構成）
図４は、本発明の実施の形態に係るフォルダの概略図である。フォルダ２０４０は、記憶部２０４に記憶されるコンテンツを管理する階層構造を有し、一例として、フォルダ２０４０の下の階層には、コンテンツを制作した会社を示すプロバイダＡ〜Ｃ２０４１〜２０４３が格納され、プロバイダＡ２０４１の下の階層には、プロバイダＡ２０４１が制作したコンテンツＡ〜Ｃ２０４４〜２０４６が格納され、コンテンツＡ２０４４の下の階層には、コンテンツＡ２０４４を構成するデータＡ〜Ｃ２０４７〜２０４９が格納されている。
【００２５】
また、各プロバイダＡ〜Ｃ２０４１〜２０４３には、ＰｒｏｖｉｄｅｒＩＤが付され、更に各コンテンツＡ〜Ｃ２０４４〜２０４６には、ＣｏｎｔｅｎｔＩＤが付されており、ＰｒｏｖｉｄｅｒＩＤとＣｏｎｔｅｎｔＩＤを指定することで、所望のコンテンツを指定できるように構成されている。
【００２６】
ここで、記憶部２０４内には、コンテンツ制作者以外の者が制作したデータが記憶されている場合がある。コンテンツ制作者以外の者が制作したコンテンツが暗号化されているときは、コンテンツのソースを見ることはできないが、暗号化されていないとき、ソースを見ることができる可能性がある。そこで、一例として、エミュレータアプリケーション２００ｂは、コンテンツ制作者毎に付されたＰｒｏｖｉｄｅｒＩＤを記憶することによって、他の制作者のデータに対するアクセスを禁止することができる。
【００２７】
（ブラウザ４０の構成）
図５（ａ）及び（ｂ）は、本発明の実施の形態に係るブラウザの概略図である。ブラウザ４０は、ＰＣ４の表示画面４０４に表示され、一例として、図５（ａ）に示すように、メニュー４１と、メッセージ４２と、ＰＣ４の操作部４０１によって操作可能なポインタ４３と、コンテンツのタイトルであるコンテンツタイトル４４と、を備えて概略構成されている。図中の太字は、ポインタ４３によって指定されていることを表している。
【００２８】
（動作）
以下に、本発明の実施の形態におけるコンテンツ検証システムの動作について、図１から図５を参照し、図６から図８のフローチャートに従って詳細に説明していく。
【００２９】
（外付ハードディスク５に記憶されたコンテンツの検証動作）
まず、外付ハードディスク５に記憶された第１のコンテンツデータとしてのコンテンツの検証動作について、図６のフローチャートに従って説明する。なお、以下の説明においては、エミュレータアプリケーション２００ｂは、既に起動しているものとし、エミュレータアプリケーション２００ｂが起動したＨＤ  ＤＶＤプレイヤ２を「エミュレータ」と呼ぶものとする。
【００３０】
また、コンテンツの検証の目的は、制作したコンテンツが、各ＨＤ  ＤＶＤプレイヤ毎に予想される動作をするか否かを確認することであり、例えば、前後のチャプターへのジャンプ、音声の切換、字幕の表示切替、メニューの動作、コンテンツの再生、早送り、巻戻し等の動作が検証の対象となる。本実施の形態においては、コンテンツの再生の検証について説明するものとする。
【００３１】
ユーザは、検証対象となるコンテンツ及びコンテンツ関連データが記憶された外付ハードディスク５をエミュレータの外部入力部２０３に接続する（Ｓ１）。
【００３２】
続いて、ユーザは、コントロール端末となるＰＣ４の電源を入れ、ＰＣ４の記憶部４０２に記憶されたブラウザ４０を起動する（Ｓ２）。
【００３３】
ＰＣ４は、エミュレータが指定するアドレス及びポート番号を用いて、エミュレータとの接続を開始する（Ｓ３）。
【００３４】
エミュレータは、ＰＣ４の通信部４０３及び通信部２０７を介してアドレス及びポート番号を受信し、これが正しいとき、エミュレータを制御するためのＷＥＢ素材を通信部２０７及び通信部４０３を介してＰＣ４に送信する（Ｓ４）。ＷＥＢ素材とは、一例として、ＰＣ４のブラウザ４０に表示させる、アイコン、リンク情報、外付ハードディスク５に記憶されたコンテンツの一覧、及び現在再生しているコンテンツの情報等である。
【００３５】
ＰＣ４は、通信部４０３を介してＷＥＢ素材を受信すると、ブラウザ４０に反映させ、ユーザは、ブラウザ４０に表示されたアイコン等を操作する（Ｓ５）。このブラウザ４０に表示されるエミュレータの操作内容は、一例として、マウント（エミュレータに接続されている外付ハードディスク５をＰＣ４に認識させる）、エミュレーション（再生）させるコンテンツの指定、アンマウント（エミュレータに接続されている外付ハードディスク５の取り外し）等のコマンド群があり、これらのコマンド群をＰＣ４の操作部４０１を用いて指定することにより、指定されたコンテンツに対応したコマンドがエミュレータに送信される。
【００３６】
一例として、ユーザが、ＰＣ４の操作部４０１を介して外付ハードディスク５のマウントを指定するとき（Ｓ６）、エミュレータは、ＰＣ４の通信部４０３、及び通信部２０７を介してコマンドを受信し、コマンドに基づいたレスポンスとして、外付ハードディスク５に記憶されているコンテンツの一覧を表すデータを送信し（Ｓ７）、ＰＣ４は受信したコマンドに基づいて、図５（ａ）に示すように、ブラウザ４０にメッセージ４２及びコンテンツタイトル４４等を表示する（Ｓ８）。
【００３７】
ユーザは、図５（ａ）に示すように、操作部４０１を介してポインタ４３を操作し、コンテンツＡの再生を指示する。
【００３８】
エミュレータは、コンテンツＡの再生を示すコマンドを通信部２０７を介して受信する。続いてエミュレータは、指定されたコンテンツＡの再生を行うため、コンテンツＡに対応するコンテンツ関連データを外付ハードディスク５から外部入力部２０３を介して取得し、記憶部２０４に記憶させる。エミュレータは、指定されたコンテンツＡに対応するコンテンツを外部入力部２０３を介してデコード部２０５によってデコードさせる。デコードされたコンテンツは、出力部２０６から表示装置３に出力される（Ｓ９）。
【００３９】
ユーザは、表示装置３の表示画面３０に表示されたコンテンツＡを見ながら、一例として、操作部２０２を操作して、映像の途切れがないか、及びチャプターが正しく設定されているか等のコンテンツ及びコンテンツ関連データの検証を行う。
【００４０】
ユーザは、検証が終了したとき、図５（ｂ）に示す「Ｙｅｓ」をＰＣ４の操作部４０１を介してポインタ４３によって指定し（Ｓ１０）、さらに、外付ハードディスク５のアンマウントを操作部４０１より操作して指示する。
【００４１】
エミュレータは、検証終了を意味するコマンドを通信部２０７を介してＰＣ４から受信すると、エミュレータアプリケーション２００ｂの終了動作を行う（Ｓ１１）。このことにより、外付ハードディスク５に記憶されたコンテンツ及びコンテンツ関連データの検証動作は終了する。
【００４２】
上記した検証によって、不具合が見つかったとしても、コンテンツ及びコンテンツ関連データは外付ハードディスク５の中にあるので、容易に修正することができ、すべての検証が終了してから光ディスク８を作製することができるので、効率良く作業を行うことができる。
【００４３】
（記憶部２０４に記憶されたコンテンツ関連データの検証動作）
続いて、記憶部２０４に記憶されたコンテンツ関連データの検証動作について、図７のフローチャートに従って説明する。一例として、インターネット６を介してサーバ７から取得した第２のコンテンツデータとしてのコンテンツに対する検証動作について説明する。
【００４４】
ユーザは、外付ハードディスク５をエミュレータの外部入力部２０３に接続する（Ｓ２１）。
【００４５】
続いて、ユーザは、コントロール端末となるＰＣ４の電源を入れ、ＰＣ４の記憶部４０２に記憶されたブラウザ４０を起動する（Ｓ２２）。
【００４６】
ＰＣ４は、エミュレータが指定するアドレス及びポート番号を用いて、エミュレータとの接続を開始する（Ｓ２３）。
【００４７】
エミュレータは、ＰＣ４の通信部４０３及び通信部２０７を介してアドレス及びポート番号を受信し、これが正しいとき、エミュレータを制御するためのＷＥＢ素材を通信部２０７及び通信部４０３を介してＰＣ４に送信する（Ｓ２４）。
【００４８】
ＰＣ４は、通信部４０３を介してＷＥＢ素材を受信すると、ブラウザ４０に反映させ、ユーザは、ブラウザ４０に表示されたアイコン等を操作し（Ｓ２５）、記憶部２０４に記憶された検証したいコンテンツ関連データを外付ハードディスク５へコピーするように指示する（Ｓ２６）。
【００４９】
エミュレータは、コピーを示すコマンドを受信すると、指定されたコンテンツ関連データを外付ハードディスク５にコピーし、コピーが終了したことを示すレスポンスをＰＣ４に行う（Ｓ２７）。
【００５０】
ＰＣ４は、レスポンスを受信すると、エミュレータに対して、検証の終了を示すコマンドをレスポンスとして送信する（Ｓ２８）。
【００５１】
エミュレータは、検証終了を意味するコマンドを通信部２０７を介してＰＣ４から受信すると、エミュレータアプリケーション２００ｂの終了動作を行う（Ｓ２９）。
【００５２】
ユーザは、エミュレータによって記憶部２０４に記憶されたコンテンツ関連データを利用してコンテンツを再生し、コンテンツ及びコンテンツ関連データを検証することができる。また、外付けハードディスクに記憶されたコンテンツ関連データは、別途任意の検証システムに接続し、専用、若しくは汎用のツールなどを利用して妥当性を検証してもよい。
【００５３】
記憶部２０４に記憶されたコンテンツは、修正を行うことができないため、外部入力部２０３に接続された外付ハードディスク５にコピーすることで、修正する必要があるときは修正することができる。
【００５４】
（外付ハードディスク５から記憶部２０４にコピーしたコンテンツ関連データの検証動作）
続いて、外付ハードディスク５に記憶されたコンテンツ関連データを記憶部２０４にコピーし、そのコピーしたコンテンツの検証動作について、図８のフローチャートに従って説明する。一例として、インターネット６を介してサーバ７から提供される予定のコンテンツ関連データの検証動作について説明する。
【００５５】
図８に示すステップ４１からステップ４５までは、上記のステップ１からステップ５までと同一なので説明を省略し、ステップ４６から説明する。
【００５６】
ステップ４６においてユーザは、外付ハードディスク５をマウントさせ、一例として、図５（ａ）に示すように、ＰＣ４の表示画面４０４に表示されたブラウザ４０から、記憶部２０４にコピーしたいコンテンツに関連したコンテンツ関連データをポインタ４３を用いて指定する（Ｓ４６）。
【００５７】
エミュレータは、ＰＣ４から送信されたコマンドを通信部２０７を介して受信し、指定されたコンテンツ関連データを外付ハードディスク５から記憶部２０４にコピーし、コピーが終了したことを示すレスポンスをＰＣ４に送信する（Ｓ４７）。
【００５８】
このとき、再生を指定されたコンテンツは、特定のファイル（一例としてＡＶＤ＿ＯＢＪ／ＤＩＳＣＩＤ．ＤＡＴ）を有するので、エミュレータはこれを読み込み、ＤＩＳＣＩＤ．ＤＡＴからＰｒｏｖｉｄｅｒＩＤとＣｏｎｔｅｎｔＩＤを抽出する。また、エミュレータは、記憶部２０４内に（ＨＤ＿ＤＶＤ／[ＰｒｏｖｉｄｅｒＩＤ]／[ＣｏｎｔｅｎｔＩＤ]）というフォルダを作成して、このフォルダにコンテンツをコピーする。このとき、既に（ＨＤ＿ＤＶＤ／[ＰｒｏｖｉｄｅｒＩＤ]／[ＣｏｎｔｅｎｔＩＤ]）というフォルダが、記憶部２０４に存在するときは、ブラウザ４０に警告を表示し、データの差し替えを行うか、別名にしてバックアップを行うか、をユーザに選択させる。
【００５９】
ＰＣ４は、受信したコマンドに基づいてブラウザ４０に、コピーされたコンテンツ関連データに関連したコンテンツを表示する。
【００６０】
ユーザは、操作部４０１を介してポインタ４３を操作し、一例として、コンテンツの再生を指示する（Ｓ４８）。
【００６１】
エミュレータは、再生を意味するコマンドをＰＣ４から受信し、コマンドに基づいて指定されたコンテンツの再生を行うため、対応するコンテンツを外付ハードディスク５から外部入力部２０３を介して取得し、デコード部２０５によってデコードさせ、記憶部２０４に記憶したコンテンツ関連データを利用しながらコンテンツを再生する。エミュレータは、コンテンツの再生を示すレスポンスをＰＣ４に送信し、再生されたコンテンツは、出力部２０６から表示装置３に出力される（Ｓ４９）。
【００６２】
ＰＣ４は、エミュレータから送信されたレスポンスを受信すると、ブラウザ４０に現在再生中のコンテンツのタイトル等を表示する（Ｓ５０）
【００６３】
ユーザは、検証が終了したのち、外付ハードディスク５のアンマウントを指示し検証を終了する（Ｓ５１）。
【００６４】
エミュレータは、検証終了を意味するコマンドを通信部２０７を介して受信すると、エミュレータアプリケーション２００ｂの終了動作を行う（Ｓ５２）。このことにより、外付ハードディスク５から記憶部２０４にコピーしたコンテンツ関連データの検証動作は終了する。
【００６５】
ここで、コンテンツ検証システム１は、外付ハードディスク５に記憶されたコンテンツ関連データを記憶部２０４に直接コピーするのではなく、コンテンツ関連データに対するリンクを記憶部２０４に記憶させ、リンクから外付ハードディスク５のコンテンツ関連データを検証しても良い。また、コンテンツ検証システム１は、記憶部２０４に記憶されたコンテンツ関連データが利用されていないとき、外付ハードディスク５に記憶されたコンテンツ関連データを、上記したフォルダの作成方法に基づいて、記憶部２０４の同名のコンテンツ関連データと置き換えることで、記憶部２０４のコンテンツ関連データの書き換えを行うことができる。上記の操作を兼用することによって、コンテンツ関連データの検証及び修正が、さらに効率良く行える。
【００６６】
（効果）
上記した本発明の実施の形態によると、コンテンツ検証システム１は、外付ハードディスク５から再生等の検証を行うことができるので、制作したコンテンツの検証、修正を効率良く行うことができる。同様に、コンテンツ検証システム１は、インターネット６を介してサーバ７からＨＤ  ＤＶＤプレイヤ２の記憶部２０４に記憶させるコンテンツ関連データに対して、外付ハードディスク５にコピーして検証を行うことができるので、制作したコンテンツ関連データの検証、修正を効率良く行うことができる。さらに、コンテンツ検証システム１は、ＨＤ  ＤＶＤプレイヤ２の記憶部２０４に記憶される予定で制作されたコンテンツ関連データを外付ハードディスク５からコピーして、検証することができるので、制作したコンテンツ関連データの検証、修正を効率良く行うことができる。
【００６７】
なお、本発明は、上記した実施の形態に限定されず、本発明の技術思想を逸脱あるいは変更しない範囲内で種々の変形が可能である。また、本実施の形態において、コンテンツ検証システム１について説明したが、ＰＣ４の機能をＨＤ  ＤＶＤプレイヤ２に搭載したコンテンツ検証装置としても良い。
【図面の簡単な説明】
【００６８】
【図１】本発明の実施の形態に係るコンテンツ検証システムの概略図である。
【図２】本発明の実施の形態に係るＨＤ  ＤＶＤプレイヤのブロック図である。
【図３】本発明の実施の形態に係るＰＣのブロック図である。
【図４】本発明の実施の形態に係るフォルダの概略図である。
【図５】（ａ）及び（ｂ）は、本発明の実施の形態に係るブラウザの概略図である。
【図６】本発明の実施の形態に係る外付ハードディスクに記憶されたコンテンツの検証動作に関するフローチャートである。
【図７】本発明の実施の形態に係る記憶部に記憶されたコンテンツ関連データの検証動作に関するフローチャートである。
【図８】本発明の実施の形態に係る外付ハードディスクから記憶部にコピーしたコンテンツ関連データの検証動作に関するフローチャートである。
【符号の説明】
【００６９】
１…コンテンツ検証システム、２…ＨＤ  ＤＶＤプレイヤ、３…表示装置、４…ＰＣ、５…外付ハードディスク、６…インターネット、７…サーバ、８…光ディスク、３０…表示画面、４０…ブラウザ、４１…メニュー、４２…メッセージ、４３…ポインタ、４４…コンテンツタイトル、２００…制御部、２００ａ…メインアプリケーション、２００ｂ…エミュレータアプリケーション、２００ｃ…アドバンストナビゲーションアプリケーション、２０１…読出部、２０２…操作部、２０３…外部入力部、２０４…記憶部、２０５…デコード部、２０６…出力部、２０７…通信部、２０８…表示部、４００…制御部、４０１…操作部、４０２…記憶部、４０３…通信部、４０４…表示画面、２０４０…フォルダ、２０４１〜２０４３…プロバイダＡ〜Ｃ、２０４４〜２０４６…コンテンツＡ〜Ｃ、２０４７〜２０４９…データＡ〜Ｃ
【図１】
2009087444.tif 000003
【図２】
2009087444.tif 000004
【図３】
2009087444.tif 000005
【図４】
2009087444.tif 000006
【図５】
2009087444.tif 000007
【図６】
2009087444.tif 000008
【図７】
2009087444.tif 000009
【図８】
2009087444.tif 000010